(57)【要約】【課題】透過型ヘッドマウントディスプレイなどでテレビ番組などの提示情報を見ながら、通勤や通学などの活動を行う場合、提示情報を見ているユーザの視線が、周囲の人を困惑・誤解させる課題がある。本発明では、提示情報の提示法を適切に変更することで、周囲の人の不快や誤解を軽減できる情報提示装置を提供することを目的とする。【解決手段】タブー視リスト管理部１０２と、タブー視判定部１０３と、情報提示変更部１０４を有することにより、ユーザの視線の先にある対象物に応じて適切な提示法に変更される結果、周囲の人を困惑・誤解させることなく、ユーザが提示情報を視聴できる情報提示装置とできる。【選択図】図１
2006099216.tif 000002
【特許請求の範囲】
【請求項１】
ユーザの視覚対象物を推定する視線先推定部と、
ユーザが見るべきでない対象物を管理するタブー視リスト管理部と、
前記視線先推定部によって特定された視覚対象物が、前記タブー視リスト管理部の対象物に合致するかを判定するタブー視判定部と、
前記タブー視判定部での判定に応じて情報提示法を変更する情報提示変更部と、
前記情報提示変更部で変更された提示法によって情報を提示する情報提示部と、
を含むことを特徴とする迷惑視聴防止型情報提示装置。
【請求項２】
前記情報提示変更部は、
提示情報の提示の有無、提示位置、提示サイズ、提示色調、提示透明度および再生状態のうちの少なくとも１つを含む提示法を変更することを特徴とする、請求項１記載の迷惑視聴防止型情報提示装置。
【請求項３】
前記タブー視リスト管理部が管理するタブー視リストは、
記号と、グラフ構造と、グラフの節や枝の属性値との、
少なくとも１つの記述法で記述されることを特徴とする、請求項１記載の迷惑視聴防止型情報提示装置。
【請求項４】
前記タブー視判定部が前記視線先推定部によって特定された視覚対象物が、前記タブー視リスト管理部の対象物に合致すると判定した場合に、
前記情報提示変更部は視線を動かす情報提示法を決定することを特徴とする、請求項１記載の迷惑視聴防止型情報提示装置。
【請求項５】
前記タブー視リスト管理部が管理するタブー視リストは、
タブー視の対象物と、
１つ以上の対象物合致基準とを含むことを特徴とする
請求項１記載の迷惑視聴防止型情報提示装置。
【請求項６】
ユーザの視覚対象物を推定する視線先推定ステップと、
ユーザが見るべきでない対象物を管理するタブー視リスト管理ステップと、
前記視線先推定ステップによって特定された視覚対象物が、前記タブー視リスト管理ステップの対象物に合致するかを判定するタブー視判定ステップと、
前記タブー視判定ステップでの判定に応じて情報提示法を変更する情報提示変更ステップと、
前記情報提示変更ステップで変更された提示法によって情報を提示する情報提示ステップと、
を有することを特徴とする迷惑視聴防止型情報提示方法。
【請求項７】
ユーザの視覚対象物を推定する視線先推定ステップと、
ユーザが見るべきでない対象物を管理するタブー視リスト管理ステップと、
前記視線先推定処理によって特定された視覚対象物が、前記タブー視リスト管理処理の対象物に合致するかを判定するタブー視判定ステップと、
前記タブー視判定処理での判定に応じて情報提示法を変更する情報提示変更ステップと、
前記情報提示変更処理で変更された提示法によって情報を提示する情報提示ステップと、を有する方法をコンピュータに実行させるためのプログラム。
【請求項８】
請求項７に記載のプログラムを記録した記憶媒体。
【請求項９】
ユーザの視覚対象物を推定する視線先推定装置、
ユーザが見るべきでない対象物を管理するタブー視リスト管理装置と、
前記視線先推定装置からの対象物が前記タブー視リスト管理装置の対象物に合致するかを判定するタブー視判定装置と、
前記タブー視判定装置での判定に応じて情報提示法を変更する情報提示変更装置と、
前記情報提示変更装置で変更された提示法によって情報を提示する情報提示装置と、
を備えた迷惑視聴防止型情報提示システム。
【発明の詳細な説明】
【技術分野】
【０００１】
本発明は、透過型のＨＭＤ（ヘッドマウントディスプレイ）やＲＳＤ（網膜走査型ディスプレイ）等の情報提示装置に関するものである。
【背景技術】
【０００２】
従来、透過型のＨＭＤ（ヘッドマウントディスプレイ）に情報を表示する際に、表示と重なる外景の明るさや色に応じて、表示の明るさや色を制御する方式があった（例えば、特許文献１参照）。この方式によって、表示情報が見やすくなる効果があった。
【０００３】
また、情報提示時の周囲の人への迷惑を防止する方式として、ヘッドホンやＨＭＤなどのように音声や映像を遮蔽してユーザのみが視聴できるようにする方式や、発話する代わりに録音メッセージの再生ボタンを押す方式（例えば、特許文献２参照）があった。
【特許文献１】特開平９−１０１４７７号公報
【特許文献２】特開平１１−１２２６７５号公報
【発明の開示】
【発明が解決しようとする課題】
【０００４】
しかしながら、透過型ＨＭＤやＲＳＤ（網膜走査ディスプレイ）などでテレビ番組などの提示情報を見ながら、通勤や通学などの活動を行う場合、提示情報を見ているユーザの視線が、周囲の人を困惑・誤解させる課題がある。例えば、電車内で正面に座っている人の顔の位置に重なるようにテレビ番組が表示されていると、ユーザはテレビ番組を見ていて正面の人は見ていないにも関わらず、正面の人に対して、じろじろと見られて嫌だ、と不快な思いをさせてしまう場合がある。前記従来の方式は、この課題に対しては効果を持たない。
【０００５】
本発明は、前記課題を解決するもので、ユーザが透過型ＨＭＤなどでテレビなどの提示情報を視聴する場合に、提示情報の提示法を適切に変更することで、周囲の人を困惑・誤解させることなく、提示情報を視聴できる情報提示装置を提供することを目的とする。
【課題を解決するための手段】
【０００６】
前記従来の課題を解決するために、本発明の迷惑視聴防止型情報提示装置は、ユーザの視覚対象物を推定する視線先推定部と、ユーザが見るべきでない対象物を管理するタブー視リスト管理部と、前記視線先推定部からの対象物が前記タブー視リスト管理部の対象物に合致するかを判定するタブー視判定部と、前記タブー視判定部での判定に応じて情報提示法を変更する情報提示変更部と、前記情報提示変更部で変更された提示法によって情報を提示する情報提示部とを有し、情報を提示する。
【０００７】
本構成によって、ユーザの視線の先にある対象物に応じて適切な提示法に変更される結果、周囲の人を困惑・誤解させることなく、ユーザは提示情報を視聴できるようになる。
【０００８】
また、本発明の情報提示装置において、情報提示変更部が提示情報の提示の有無、提示位置、提示サイズ、提示透明度、再生状態、の少なくとも１つを含む提示法を変更することで、情報を提示するとしてもよい。
【０００９】
本構成によって、ユーザの視線の先にある対象物に応じて、ユーザは適切に視線を移動したり、外界に注意を払えたり、できるようになる。
【００１０】
また、本発明の情報提示装置において、タブー視リスト管理部が管理するタブー視リストは、記号と、グラフ構造と、グラフの節や枝の属性値との、少なくとも１つの記述法で記述されるとしてもよい。
【００１１】
本構成によって、タブー視リストの処理方法に適した表現形式とできるので、記号で記述することで人でも読みやすい表現形式としたり、グラフ構造で記述することで各データ間の関係を表現しやすい形式としたり、グラフの節や枝の属性値で記述することで各データの関係の程度や種類を表現しやすい形式とできる。
【００１２】
また、本発明の情報提示装置において、タブー視判定部が視線先推定部からの対象物がタブー視リスト管理部の対象物に合致すると判定した場合に、情報提示変更部は視線を動かす情報提示法を決定するとしてもよい。
【００１３】
本構成によって、ユーザの視線を適切に制御でき、周囲の人を困惑・誤解させることを軽減できるようになる。
【００１４】
また、本発明の情報提示装置において、タブー視リスト管理部が管理するタブー視リストは、タブー視の対象物と、１つ以上の対象物合致基準とを含むとしてもよい。
【００１５】
本構成によって、対象物であるかないかの判定だけでなく、対象物への類似度合に応じた提示方法とすることができる。
【発明の効果】
【００１６】
本発明の情報提示装置によれば、ユーザの視線の先にある対象物に応じて適切な提示法に変更される結果、周囲の人を困惑・誤解させることなく、ユーザは提示情報を視聴できるようになる。
【００１７】
また、情報提示変更部が提示情報の提示の有無、提示位置、提示サイズ、提示色調、提示透明度、再生状態、を含む提示法を変更することで、ユーザの視線の先にある対象物に応じて、ユーザは適切に視線を移動したり、外界に注意を払えたり、できるようになる。
【００１８】
また、タブー視リスト管理部が管理するタブー視リストは、記号と、グラフ構造と、グラフの節や枝の属性値との、少なくとも１つの記述法で記述されるので、タブー視リストの処理方法に適した表現形式とできるので、記号で記述することで人でも読みやすい表現形式としたり、グラフ構造で記述することで各データ間の関係を表現しやすい形式としたり、グラフの節や枝の属性値で記述することで各データの関係の程度や種類を表現しやすい形式とできる。
【００１９】
また、タブー視判定部が視線先推定部からの対象物がタブー視リスト管理部の対象物に合致すると判定した場合に、情報提示変更部は視線を動かす情報提示法を決定するので、ユーザの視線を適切に制御でき、周囲の人を困惑・誤解させることを軽減できるようになる。
【００２０】
また、タブー視リスト管理部が管理するタブー視リストは、タブー視の対象物と、１つ以上の対象物合致基準とを含むので、対象物であるかないかの判定だけでなく、対象物への類似度合に応じた提示方法とすることができる。
【発明を実施するための最良の形態】
【００２１】
以下本発明の実施の形態について、図面を参照しながら説明する。
【００２２】
（実施の形態１）
図１は、本発明の実施の形態１における迷惑視聴防止型情報提示装置の構成図である。
【００２３】
図１の構成図において、各構成要素とその関係を記す。
【００２４】
視線先推定部１０１は、ユーザの視覚対象物を推定する。視覚対象物とは、ユーザが見ているもの、見えていたもの、見そうなもの、見ていると他人から思われるもの、見ていたと他人から思われるもの、の少なくとも１つを含む。視覚対象物を推定する方法としては、ＨＭＤ搭載カメラや街角のカメラで撮影したユーザ周辺の映像より、対象物としての人や人の顔を認識する方法や、電子タグやバーコードなどの識別情報を有した物体や人物をスキャナで読み取ることで認識する方法や、ユーザから赤外線や超音波などの電磁波を発信し、対象物による反射波のパターンによって対象物を認識する方法や、対象物とユーザの位置情報を取得して距離を算出することで近くの対象物を認識する方法や、ユーザの位置情報を基に事前に構築されたデータベースより近くにある対象物やありそうな対象物を推定する方法や、過去の推定結果や他人の推定結果を用いる方法や、以上の方法を組み合わせた方法などを用いる。
【００２５】
タブー視リスト管理部１０２は、ユーザが見るべきでない対象物を管理する。見るべきでない対象物とは、ユーザが見たくないもの、ユーザが見ていると思われたくないもの、社会通念上見るべきでないとされているもの、見ることによって見ている人の興味や考えや思考が特徴付けられるもの、見ることによってユーザもしくはユーザ以外の人へ不快や迷惑や困惑や緊張や誤解などの心理変化を与える可能性のあるもの、の少なくとも１つを含む。
【００２６】
タブー視判定部１０３は、前記視線先推定部からの対象物が前記タブー視リスト管理部の対象物に合致するかを判定する。合致するとは、一致する、同じ分類に属する、特徴や属性が似ている、共通点が多い、の少なくとも１つの場合を意味する。
【００２７】
情報提示変更部１０４は、前記タブー視判定部での判定に応じて情報提示法を変更する。情報提示法には、提示の有無、提示位置、提示サイズ、提示の色調、提示透明度、再生状態の少なくとも１つの変更を含む。
【００２８】
情報提示部１０５は、前記情報提示変更部で変更された提示法によって情報を提示する。提示する情報には、放送や通信によって取得したテレビ番組などの音声付動画像、インターネット上のサーバや自宅のホームサーバから取得したテキスト、画像、動画像、信号などの少なくとも１つを含む。
【００２９】
かかる構成によれば、タブー視リスト管理部とタブー視判定部と情報提示変更部を有することにより、ユーザの視線の先にある対象物に応じて適切な提示法に変更される結果、周囲の人を困惑・誤解させることなく、ユーザが提示情報を視聴できる迷惑視聴防止型情報提示装置とできる。
【００３０】
なお、視覚対象物は、ユーザが見そうなものも含められるので、提示している内容や、今後提示する内容や、ユーザの行動や、ユーザの周辺状況などに応じて、視線が周囲の人を困惑・誤解させてしまうのを予防するために、前もって、予測的に、提示法を変更してもよい。
【００３１】
なお、タブー視リストは変更、更新、削除、追加されてもよい。また、複数あってもよい。タブー視リストはＸＭＬファイルのようにアルファベットなどの記号で記述されていてもよいし、ネットワーク構造やグラフ構造で表現されていてもよいし、グラフの節や枝の属性値で表現されていてもよい。
【００３２】
なお、タブー視判定部や情報提示変更部は、タブー視や提示法を判定する上で、タブー視リスト以外の情報を用いてもよい。例えば、ユーザの視覚対象物以外の周辺物や周辺状況や身体状況やユーザ嗜好や精神状態などのユーザ状況、過去の判定履歴、他人の判定履歴、事前に準備された判定ルールや判定用数値などを用いてもよい。
【００３３】
なお、情報提示部は、ヘッドマウントディスプレイ、フェイスマウントディスプレイ、眼鏡型ディスプレイ、透過型ディスプレイ、網膜走査型ディスプレイ、携帯電話や携帯テレビやモバイル端末の情報提示部、などを含む。
【００３４】
なお、図１における各部は、一台のコンピュータ上にあってもよいし、一台のコンピュータ上になくてもよい。例えば、情報提示変更部と情報提示部が、別の機器にあってもよいし、タブー視リスト管理部がインターネット上のサーバ機器でもよい。また、複数のコンピュータ上に各部が分散していてもよい。また、図１における各部は、複数存在してもよい。例えば、情報提示部が２つあってもよい。各ユーザで図１の各部を共有してもよい。
【００３５】
次に動作について説明する。
【００３６】
本説明では、情報提示装置として透過型ＨＭＤが、ユーザの通勤途中の状況変化に応じて、テレビ番組の提示方法を変化させる動作例を記す。この動作によって、周囲の人を困惑・誤解させることなく、ユーザは提示情報を視聴できるようになる。
【００３７】
図１の迷惑視聴防止型情報提示装置が、周辺状況に応じてヘッドマウントディスプレイの提示部でのテレビ番組の提示位置を変更する動作を、図２に記す。
【００３８】
（Ｓ２０１）動作を開始する。
【００３９】
（Ｓ２０２）視線先推定部１０１にて、視線の先のモノを推定する。
【００４０】
（Ｓ２０３）タブー視判定部１０３にて、Ｓ２０２で推定したモノが、タブー視リスト管理部１０２のタブー視リストに合致するか判定する。合致すると判定した場合は、Ｓ２０４の動作へ、合致しないと判定した場合は、Ｓ２０２の動作へ移る。
【００４１】
ここでは、タブー視リスト管理部に図３に示すタブー視リストが管理されているとして説明する。図３のリストには、タブー視の対象物として、人の顔と、異性のおしりと、下品な広告、の３つが記述されている。それぞれには、Ｔ１、Ｔ２、Ｔ３とＩＤ（識別子）が振られている。特徴記述の欄には、各対象物に関する特徴が記述されている。特徴とは、視線先推定部にて推定されたものがタブー視の対象物であると判定する度合いを示す指標であり、合致基準である。例えば、「人の顔」に関しては、人の顔に視線が重なることを避けるべきという意味で、「対象：  人の顔」と記述される。さらに、人の顔が遠くにある場合よりも近くにある場合の方が、より避けるべきであるという意味で、「特徴１：  顔が遠い  ＜  顔が近い」と記述される。また、人の顔を長時間見続けるほど、より避けるべきであるという意味で、「特徴２：  長時間見続ける」と記述される。
【００４２】
図４に、実際に図３のリストが使われる状況として、透過型ＨＭＤを装着したユーザから見たＨＭＤ情報提示の例を示す。ＨＭＤには図の「ＴＶ」の位置にテレビ番組が提示されており、ユーザはそのテレビ番組を視聴している。図には「ＴＶ」以外に、ユーザの目の前にいる他人の顔も、透過型ディスプレイを通じて見えている。図４（ａ）提示変更前１の時は、ユーザの視線は左のＴＶに向いており、一方他人は視野の右領域にいるので、他人と視線が合うこともなく、迷惑を与える状態ではない。図４（ｂ）提示変更前２の時は、他人の顔とＴＶが重なって見えるので、ユーザがＴＶを見ていると、他人は、見られている、と誤解し、困惑してしまう状態である。
【００４３】
図５に、タブー視判定部１０３が、図３のリストを用いて、図４の状況に対する、タブー視を判定した結果を示す。図５（ａ）は図４（ａ）に対する判定結果、図５（ｂ）は図４（ｂ）に対する判定結果である。図４（ａ）の場合は、ユーザが人の顔を見ている可能性が１０％、さほど近くからは見ていないので、０．８倍して結果を弱め、長時間も見ていないので、０．８倍して結果を弱めた結果、１０％に０．８と０．８を乗じて、約０．０６という推定タブー度合いが得られる。同様に、図４（ｂ）の場合は、７０％に１．２と１．０を乗じて、約０．８４という推定タブー度合いが得られる。ここで仮に推定タブー度合いが０．５以上の場合に、タブー視リストに合致したと判定するとした場合、図４（ａ）は、合致しないと判定され、図４（ｂ）は、合致すると判定される。よって、図４（ａ）の場合はＳ２０２の動作へ、図４（ｂ）の場合はＳ２０４の動作へ移る。
【００４４】
（Ｓ２０４）情報提示変更部１０４にて、情報提示方法を決定する。図４（ｂ）の場合に、提示法として「ＴＶ」の提示位置を変更する方法とした場合、他人の顔が見える左領域と異なる領域として、右領域に「ＴＶ」の提示位置を変更する。
【００４５】
（Ｓ２０５）情報提示部１０５にて、Ｓ２０４で決定した提示方法に従い情報を提示し、Ｓ２０２の動作へ移る。図４（ｃ）が提示方法として「ＴＶ」の提示位置を変更した図である。この提示変更によって、図５（ｃ）に示すように、推定タブー度合いが減少し、周囲の人への困惑や誤解を避けることができる。
【００４６】
以上の動作により、本発明では、ユーザの視線の先にある対象物に応じて適切な提示法に変更される結果、周囲の人を困惑・誤解させることなく、ユーザは提示情報を視聴できる迷惑視聴防止型情報提示装置とできる。
【００４７】
なお、提示の有無や位置やサイズの変更に伴って、変更の過程をアニメーション表示してもよい。
【００４８】
なお、提示透明度の変化は提示情報の全部に適応してもよいし、一部にのみ適応してもよい。提示情報の部分によって透明度や透明度の変化が異なっていてもよい。
【００４９】
なお、提示情報の再生状態は、コンテンツの再生、停止、一時停止、中断、再開、早送り、巻き戻し、早送り再生、スロー再生、巻戻し再生、ダイジェスト再生、部分再生、の少なくとも１つを含む。再生を中断する動作は、完全に再生を中断してもよいし、再生速度を遅くしてもよいし、動画像再生時のフレームレートを落としてもよいし、主な箇所のみを再生するダイジェスト再生してもよい。
【００５０】
なお、図２に示した各動作は、即時に次々と動作してもよいし、平行して動作してもよいし、時間をおいて動作してもよい。
【００５１】
なお、本発明における提示方式の変更は、断続的に変更されてもよい。例えば、表示サイズを減少させる際に、一旦表示を中止した後に、前より小さいサイズで再表示してもよいし、一瞬表示サイズを増加させた後に表示サイズを減少してもよい。前記タブー視判定部での判定結果に変化があった場合に、一旦表示を中断し、一定時間後、若しくは判定結果の変化が安定した場合に表示を再開してもよい。
【００５２】
なお、上記した各実施の形態は、記憶装置（ＲＯＭ、ＲＡＭ、ハードディスク等）に格納された上述した処理手順を実行可能な所定のプログラムデータが、ＣＰＵによって解釈実行されることで実現される。この場合、プログラムデータは、記録媒体を介して記憶装置内に導入されてもよいし、記録媒体上から直接実行されてもよい。なお、記録媒体は、ＲＯＭ、ＲＡＭ、フラッシュメモリ等の半導体メモリ、フレキシブルディスクやハードディスク等の磁気ディスクメモリ、ＣＤ−ＲＯＭやＤＶＤ、ＢＤ等の光ディスク、メモリカード等の記録媒体をいう。また、記録媒体は、電話回線や搬送路等の通信媒体も含む概念である。
【産業上の利用可能性】
【００５３】
本発明にかかる迷惑視聴防止型情報提示装置は、タブー視リスト管理部やタブー視判定部や情報提示変更部などを有し、情報提示装置、情報提示システム、情報提示方法、情報提示プログラム、情報提示コンテンツ、情報提示媒体などの用途にも応用できる。
【図面の簡単な説明】
【００５４】
【図１】本発明の実施の形態１における迷惑視聴防止型情報提示装置の構成図
【図２】本発明の実施の形態１における迷惑視聴防止型情報提示装置の動作図
【図３】本発明の実施の形態１におけるタブー視リストの例を示す図
【図４】本発明の実施の形態１におけるヘッドマウントディスプレイ情報提示の例を示す図
【図５】本発明の実施の形態１におけるタブー視判定結果の例を示す図
【符号の説明】
【００５５】
１０１    視線先推定部
１０２    タブー視リスト管理部
１０３    タブー視判定部
１０４    情報提示変更部
１０５    情報提示部
【図１】
2006099216.tif 000003
【図２】
2006099216.tif 000004
【図３】
2006099216.tif 000005
【図４】
2006099216.tif 000006
【図５】
2006099216.tif 000007